(57)【要約】【課題】演出役物を用いて遊技者の演出に対する興趣を向上させることができる遊技機を提供する。【解決手段】演出役物装置４１０は、第１ＬＥＤ５１５と第１ＬＥＤ５１５からの光が入光される第１導光板５１６とを有する第１可動体５１０と、第２ＬＥＤ５２５と第２ＬＥＤ５２５からの光が入光される第２導光板５２６とを有する第２可動体５２０と、を含む。第１可動体５１０は、可動する演出である役物可動演出において、待機位置から可動位置までの範囲内で可動し、役物可動演出が実行されず待機位置に位置する状態において、第１可動体５１０を正面視した際に第２可動体５２０と重なる。【選択図】図６
2020000704.tif 000002
【特許請求の範囲】
【請求項１】
演出を実行する演出役物を備える遊技機において、
前記演出役物は、
第１光源と前記第１光源からの光が入光される第１導光板とを有する第１発光手段と、
第２光源と前記第２光源からの光が入光される第２導光板とを有する第２発光手段と、を含み、
前記第１発光手段は、
可動する演出である役物可動演出において、待機位置から可動位置までの範囲内で可動し、
前記役物可動演出が実行されず前記待機位置に位置する状態において、前記第１発光手段を正面視した際に前記第２発光手段と重なる、
ことを特徴とする遊技機。
【請求項２】
遊技に関する画像を表示する画像表示装置を備え、
前記第１発光手段は、前記可動位置まで移動した状態で正面視した際に少なくとも一部が前記画像表示装置と重なっている、
ことを特徴とする請求項１に記載の遊技機。
【発明の詳細な説明】
【技術分野】
【０００１】
本発明は、遊技機に関する。
【背景技術】
【０００２】
一般に、弾球式の遊技機（パチンコ機）では、遊技者のハンドル操作により遊技盤内の遊技領域に向かって遊技価値を有する遊技球が発射され、遊技領域を流下した遊技球が始動口に入球したことを条件に特別図柄に係る抽選が実行される。そして、遊技機では、特別図柄表示器において、特別図柄が変動表示され、さらに、抽選によって決定された特別図柄が停止表示されることで遊技者に抽選結果が報知される。このとき、遊技機では、特別図柄表示器に大当たりであることを示す特定の特別図柄が停止表示されると、通常の遊技に比べて遊技者に有利な特別遊技状態が開始される。特別遊技状態が開始された場合、遊技機では、アタッカー装置が所定回数開閉し、大入賞口への遊技球の入球が可能になるため、遊技者が多くの賞球の払い出しを受けることが可能となる。また、一般に、このような遊技機においては、遊技の進行に応じて画像の表示や、発光、移動等の演出を実行する演出役物を備えている（特許文献１参照）。
【先行技術文献】
【特許文献】
【０００３】
【特許文献１】特許第５７３９１８６号公報
【発明の概要】
【発明が解決しようとする課題】
【０００４】
特許文献１に記載の遊技機においては、演出役物に導光板とＬＥＤ基板とを有し、ＬＥＤ基板に搭載された際に側面が発光するＬＥＤの光を導光板の側面に向けて入光させることで、導光板の全面を光らせる演出役物の薄型化を図っている。ここで、近年、遊技機においては、発光しかつ可動する演出役物を用いた演出や複数の発光する演出役物を用いた演出等、演出役物を用いた多様な演出を実現し、遊技者の演出に対する興趣を向上させることが求められている。
【０００５】
そこで、本発明は、演出役物を用いて遊技者の演出に対する興趣を向上させることができる遊技機を提供することを目的としている。
【課題を解決するための手段】
【０００６】
本発明は、演出を実行する演出役物を備える遊技機において、
前記演出役物は、
第１光源と前記第１光源からの光が入光される第１導光板とを有する第１発光手段と、
第２光源と前記第２光源からの光が入光される第２導光板とを有する第２発光手段と、を含み、
前記第１発光手段は、
可動する演出である役物可動演出において、待機位置から可動位置までの範囲内で可動し、
前記役物可動演出が実行されず前記待機位置に位置する状態において、前記第１発光手段を正面視した際に前記第２発光手段と重なる、ことを特徴とする。
【発明の効果】
【０００７】
本発明によれば、演出役物を用いて遊技者の演出に対する興趣を向上させることができる遊技機を提供することができる。
【図面の簡単な説明】
【０００８】
【図１】本実施形態に係るパチンコ機の斜視図である。
【図２】本実施形態に係るパチンコ機の正面図である。
【図３】本実施形態に係るパチンコ機の各部を示すブロック図である。
【図４】本実施形態に係るパチンコ機の斜視図である。
【図５】本実施形態に係る演出役物装置の正面図である。
【図６】本実施形態に係る演出役物装置の概略断面図である。
【図７】（Ａ）は、本実施形態に係る演出役物装置の初期状態における正面図、（Ｂ）は、（Ａ）に示す状態における背面図である。
【図８】（Ａ）は、本実施形態に係る演出役物装置のうち第１可動体が可動した状態における正面図、（Ｂ）は、（Ａ）に示す状態における背面図である。
【図９】（Ａ）は、本実施形態に係る演出役物装置のうち第１可動体及び第２可動体が稼働した状態における正面図、（Ｂ）は、（Ａ）に示す状態における背面図である。
【発明を実施するための形態】
【０００９】
以下、本実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。
【００１０】
１．構成
図１は、本発明の実施形態に係る遊技機であるパチンコ機１の斜視図である。図１に示すように、パチンコ機１は、略矩形状に組まれた四辺によって囲繞空間が形成される外枠２と、外枠２にヒンジ機構によって開閉自在に取り付けられた中枠４と、中枠４にヒンジ機構によって開閉自在に取り付けられた前枠６と、を備えている。
【００１１】
中枠４は、外枠２と同様に、略矩形状に組まれた四辺によって囲繞空間が形成されている。パチンコ機１では、中枠４の囲繞空間に遊技盤３０（図２参照）を保持している。また、前枠６には、ガラス製又は樹脂製の透過板１０が保持されている。そして、パチンコ機１では、中枠４及び前枠６を外枠２に対して閉じると、遊技盤３０においてベースとなり、パチンコ機１を正面視した場合における中枠４の前面に設置される遊技板３１（図２参照）と透過板１０とが所定の間隔を維持して略平行に対面するとともに、パチンコ機１の正面側から、透過板１０を介して遊技盤３０が視認可能となる。
【００１２】
前枠６の下部には、パチンコ機１の正面側に突出する操作ハンドル１２が設けられている。操作ハンドル１２には、遊技者によって回転操作可能な発射操作レバー１２ａが設けられており、遊技者が発射操作レバー１２ａを回転させて発射操作を行うと、発射操作レバー１２ａの回転角度に応じた強度で、不図示の発射機構によって遊技価値としての遊技球が発射される。このようにして発射された遊技球は、遊技盤３０の遊技板３１の表面である遊技盤面３１ａ（図２参照）に設けられたレール３２，３３（図２参照）間を上昇して遊技領域４０（図２参照）に導かれることになる。
【００１３】
図２は、本実施形態に係る遊技盤３０の正面図である。図２に示すように、遊技領域４０は、遊技盤面３１ａと透過板１０（図１参照）との間隔に形成される空間であって、遊技球が流下又は転動可能な領域である。遊技盤３０には、遊技盤面３１ａに多数の釘や風車が設けられており、遊技領域４０に導かれた遊技球が釘や風車に衝突して、不規則な方向に流下、転動するようにしている。
【００１４】
遊技領域４０は、発射機構の発射強度に応じて遊技球の進入度合いを互いに異にする第１遊技領域４０Ｌ及び第２遊技領域４０Ｒを備えている。第１遊技領域４０Ｌは、パチンコ機１に正対した遊技者から見て遊技領域４０の左側に位置し、第２遊技領域４０Ｒは、パチンコ機１に正対した遊技者から見て遊技領域４０の右側に位置している。パチンコ機１では、レール３３が遊技領域４０の左側の上部で途切れていることから、発射機構によって所定の強度未満の発射強度で発射された遊技球が第１遊技領域４０Ｌに進入し、所定の強度以上の発射強度で発射された遊技球が第２遊技領域４０Ｒに進入することになる。
【００１５】
また、遊技領域４０には、遊技球が入球可能な第１始動口５１、第２始動口５２、複数の第１一般入賞口５８、第２一般入賞口５９、が設けられており、詳細には、第１遊技領域４０Ｌに進入した遊技球は、第１始動口５１、複数の第１一般入賞口５８に入球可能であり、第２遊技領域４０Ｒに進入した遊技球は、第２始動口５２、第２一般入賞口５９に入球可能とあるように構成されている。第１始動口５１、第２始動口５２、第１一般入賞口５８、第２一般入賞口５９のそれぞれに遊技球が入球すると、それぞれに設定された所定の賞球が遊技者に払い出される。なお、パチンコ機１において、賞球数は、１個以上であれば何個でもよく、また、第１始動口５１、第２始動口５２、第１一般入賞口５８、第２一般入賞口５９のそれぞれで払い出す賞球数を異ならせてもよいし、同じ賞球数に設定してもよい。パチンコ機１では、第１始動口５１に遊技球が入球して払い出す賞球数を、第２始動口５２に遊技球が入球して払い出す賞球数よりも少なく設定することも可能である。
【００１６】
本実施形態のパチンコ機１では、第１始動口５１内に第１始動領域が設けられ、第２始動口５２内に第２始動領域が設けられている。そして、パチンコ機１では、第１始動口５１又は第２始動口５２に遊技球が入球して第１始動領域又は第２始動領域に遊技球が進入すると、予め設けられた複数の特別図柄の中からいずれか１つの特別図柄を決定するための内部抽選が行われる。各特別図柄には、遊技者にとって有利な特別遊技状態としての大当たり遊技の実行可否や、以後の遊技状態をどのような遊技状態にするかといった種々の特典（遊技利益）が対応付けられている。したがって、遊技者は、第１始動口５１又は第２始動口５２に遊技球が入球すると、所定の賞球を獲得するのと同時に、種々の特典を受ける権利獲得の抽選の機会を獲得することとなる。
【００１７】
また、第２始動口５１には、可動片５２ａが開閉可能に設けられており、可動片５２ａの状態に応じて、第２始動口５２への遊技球の進入容易性が変化するように構成されている。具体的には、可動片５２ａが閉状態にあるときには、第２始動口５２への遊技球の入球が不可能となり、可動片５２ａが開き、遊技球の直径よりも開いた状態にあるときには、第２始動口５２への遊技球の入球が可能となっている。
【００１８】
パチンコ機１では、第２遊技領域４０Ｒに設けられたゲート５３内の進入領域を遊技球が通過すると、普通図柄の抽選が行われ、抽選によって当たりに当選すると、可動片５２ａが所定時間、開状態に制御される。可動片５２ａが開状態に制御されることで、本実施形態のパチンコ機１では、可動片５２ａが遊技球を第２始動口５２に導く受け皿として機能し、第２始動口５２への遊技球の入球が容易となる。なお、パチンコ機１は、可動片５２ａが閉状態にあるときに、第２始動口５２への遊技球の入球が不可能となるように構成されているが、第２始動口５２が閉状態にある場合にも一定の頻度で遊技球が入球可能となるように構成されていてもよい。
【００１９】
なお、第２遊技領域４０Ｒの上部には、ワープ導入口５６及びワープ排出口５７が設けられており、第２遊技領域４０Ｒに進入した遊技球のうち、右側を流下する遊技球はワープ導入口５６から遊技盤３０の背面側を通過してワープ排出口５７に導かれ、再度、ゲート５３の上部で第２遊技領域４０Ｒに戻される。
【００２０】
第２遊技領域４０Ｒの下方側には、遊技球が入球可能な大入賞口６５を有する大入賞口装置６０が設けられている。大入賞口装置６０には、開閉扉６１が大入賞口６５を開閉可能となるように設けられており、通常、開閉扉６１が大入賞口６５を閉鎖して、大入賞口６５への遊技球の入球が不可能となっている。これに対して、パチンコ機１では、大当たり遊技が実行されると、開閉扉６１が開放されて、大入賞口６５への遊技球の入球が可能となる。なお、大入賞口装置６０には、開閉扉６１の開閉と連動して上下に回動する回動部材６２が設けられており、開閉扉６１が開放された際に回動部材６２が上方に回動して、上方から流下してくる遊技球を受け止めて大入賞口６５に導き易くなる入賞補助を行うように構成されている。
【００２１】
そして、大入賞口６５に遊技球が入球すると、大入賞口検出センサ６７により遊技球の通過が検出され、所定の賞球が遊技者に払い出される。そして、大入賞口６５から入球した遊技球は、下方側に配置された排出口６９を通過して大入賞口装置６０の背面側から外部に排出される。なお、大入賞口検出センサ６７を通過した遊技球は、遊技球検出センサである大入賞口排出検出センサ６８により通過が検出され、所定時間以内に大入賞口装置６０の排出口６９から遊技盤３０の背面に適切に排出されたか否かが検出される。
【００２２】
また、第２始動口５２及び大入賞口６５に入球しなかった遊技球は、大入賞口装置６０をそのまま通過して、第２一般入賞口５９の上方に導かれ、第２一般入賞口５９に入賞するか、或いはそのまま下方に流下する。なお、第２一般入賞口５９は、例えば賞球を１個に設定し、第１遊技領域４０Ｌを狙って遊技球を発射すべき状態で入賞を検出した際に、第１遊技領域４０Ｌを狙うべき旨（つまり左打ちの推奨）を報知するように構成しておくことが可能である。
【００２３】
そして、遊技領域４０の最下部には、第１一般入賞口５８、第１始動口５１、第２始動口５２、大入賞口６５、第２一般入賞口５９、のいずれにも入球しなかった遊技球を、遊技領域４０から遊技盤３０の背面側に排出する排出口５５が設けられている。
【００２４】
また、図１及び図２に示すように、パチンコ機１には、遊技状態の変化や各入賞口への入球の有無、各種抽選結果等の遊技の進行に応じた演出を実行する演出装置として、液晶表示装置からなる演出表示装置４００、演出役物装置４１０、さまざまな点灯態様や発光色に制御されるランプからなる演出照明装置４２０、スピーカからなる楽曲出力装置４３０、遊技者の演出に関する操作を受け付ける演出操作装置４５０が設けられている。
【００２５】
演出表示装置４００は、遊技盤３０の略中央部分において、パチンコ機１の正面側から視認可能な位置に画像を表示する画像表示装置としての画像表示部４００ａを備えており、パチンコ機１を正面視した場合において中枠４の背面側に設置されることで遊技板３１よりも奥側に設けられている。つまり、本実施形態のパチンコ機１では、画像表示部４００ａよりも手前に遊技板３１が位置している。
【００２６】
演出表示装置４００は、図２に示すように、画像表示部４００ａに左側、中央、右側にそれぞれ配置された演出図柄４０１Ｌ、４０１Ｃ，４０１Ｒが変動表示され、演出図柄４０１Ｌ、４０１Ｃ，４０１Ｒの停止表示態様によって大当たり抽選結果が遊技者に報知される変動演出が実行されることとなる。
【００２７】
演出役物装置４１０は、演出表示装置４００の画像表示部４００ａよりも前方に配置され、通常、画像表示部４００ａの表示を邪魔しないように縮退しているが、演出図柄４０１Ｌ、４０１Ｃ，４０１Ｒの変動表示中等に、画像表示部４００ａの前方に進出するように移動する等して、遊技者に大当たりの期待感を付与するものである。より詳しくは、後述する。
【００２８】
図１及び図２に示すように、演出照明装置４２０は、例えば光源としてのＬＥＤやＬＥＤから照射される光を拡散するレンズ等を有して構成され、演出役物装置４１０や遊技盤３０等に設けられており、演出表示装置４００に表示される画像等に合わせて、さまざまに点灯制御される。
【００２９】
図１に示すように、楽曲出力装置４３０は、前枠６の上部位置や外枠２の最下部位置に設けられた、いわゆるスピーカであって、演出表示装置４００に表示される画像等に合わせて、パチンコ機１の正面側に向けてさまざまな楽曲を出力する。なお、楽曲とは、楽音、噪音、音声、擬音等、音に関するすべての概念を含む。
【００３０】
演出操作装置４５０は、遊技者の押下操作を受け付ける演出押下ボタン４５１と、遊技者の演出操作装置４５０全体を回動させる回動操作を受け付ける演出回動レバー４５２を有しており、パチンコ機１の幅方向略中央位置であって、かつ、透過板１０よりも下方位置に設けられている。演出操作装置４５０は、演出表示装置４００に表示される画像等に合わせて有効化され、操作有効期間内に遊技者の操作を受け付けると、当該操作に応じて、演出表示装置４００や演出役物装置４１０を用いたさまざまな演出が実行される。
【００３１】
また、演出操作装置４５０の後方には、パチンコ機１から払い出される賞球や、遊技球貸出装置から貸し出される遊技球が導かれる上皿２２が設けられ、上皿２２の下方に下皿２４が設けられている。パチンコ機１では、上皿２２が遊技球で一杯になると、上皿２２に進入できない遊技球が下皿２４に導かれることとなる。また、下皿２４の底面には、下皿２４から遊技球を排出するための球抜き孔（不図示）が形成されている。球抜き孔は、通常、開閉板（不図示）によって閉じられているが、球抜きボタン２４ａを押下操作することにより、上記開閉板がスライド移動する等して球抜き孔が開放され、球抜き孔から下皿２４の下方に遊技球を排出することが可能となっている。
【００３２】
そして、図２に示すように、遊技盤３０には、遊技領域４０の外方であって、かつ、遊技者が視認可能な位置に、遊技に係る種々の状況を表示するための装置として、第１特別図柄表示器７１、第２特別図柄表示器７２、第１特別図柄保留表示器７３、第２特別図柄保留表示器７４、普通図柄表示器７５、普通図柄保留表示器７６、及び右打ち報知表示器７７（図３参照）を有する情報表示装置７０が設けられている。
【００３３】
図３は、本実施形態に係るパチンコ機１の各部を示すブロック図である。主制御基板で構成される主制御部１００は、遊技の進行を制御し、メインＣＰＵ１００ａと、メインＲＯＭ１００ｂと、メインＲＡＭ１００ｃと、を備えている。メインＣＰＵ１００ａは、各検出スイッチや払出・発射制御部３００からの入力信号に基づいて、メインＲＯＭ１００ｂに格納されたプログラムを読み出して演算処理を行うとともに、各装置や表示器を直接制御したり、あるいは演算処理の結果に応じて他の制御部に主制御部１００で生成したコマンドを送信したりすることで、遊技の進行に係る制御処理を実行する。メインＲＡＭ１００ｃは、メインＣＰＵ１００ａの演算処理時におけるデータのワークエリアとして機能する。
【００３４】
主制御部１００には、第１一般入賞口５８に遊技球が入球したことを検出する第１一般入賞口検出スイッチ５８ｓと、第２一般入賞口５９に遊技球が入球したことを検出する第２一般入賞口検出スイッチ５９ｓと、第１始動口５１に遊技球が入球したことを検出する第１始動口検出スイッチ５１ｓと、第２始動口５２に遊技球が入球したことを検出する第２始動口検出スイッチ５２ｓと、ゲート５３を遊技球が通過したことを検出するゲート検出スイッチ５３ｓと、大入賞口６５に遊技球が入球したことを検出する大入賞口検出センサ６７（図２参照）に設けられた大入賞口検出スイッチ６５ｓと、大入賞口６５から遊技球が排出されたことを検出する大入賞口排出検出センサ６８（図２参照）に設けられた大入賞口排出検出スイッチ６８ｓとが接続されており、各検出スイッチから出力される検出信号が主制御部１００に入力されるよう構成されている。
【００３５】
また、主制御部１００には、第２始動口５２の可動片５２ａを作動する普通電動役物ソレノイド５２ｓｏと、大入賞口６５を開閉する開閉扉６１を作動する大入賞口ソレノイド６１ｓｏと、回動部材６２を作動する大入賞口補助ソレノイド６２ｓｏとが接続されており、主制御部１００によって、第２始動口５２及び大入賞口６５の開閉制御、大入賞口６５への入賞補助制御が実行されるよう構成されている。
【００３６】
また、主制御部１００には、第１特別図柄表示器７１と、第２特別図柄表示器７２と、第１特別図柄保留表示器７３と、第２特別図柄保留表示器７４と、普通図柄表示器７５と、普通図柄保留表示器７６と、右打ち報知表示器７７と、が接続されており、主制御部１００によって、これら各表示器の表示制御が実行される。
【００３７】
本実施形態のパチンコ機１では、主に第１始動口５１又は第２始動口５２への遊技球の入球によって開始される特別遊技と、ゲート５３を遊技球が通過することによって開始される普通遊技と、に遊技の種別が大別される。そして、主制御部１００のメインＲＯＭ１００ｂには、特別遊技及び普通遊技を進行するための種々のプログラムや、各種の遊技に必要なデータ、テーブルが記憶されている。
【００３８】
メインＣＰＵ１００ａでは、例えば、発生させた乱数を用いて実行する特別図柄の当否に係る内部抽選、普通電動役物ソレノイド５２ｓｏに信号を出力し可動片５２ａを作動させる制御、大入賞口ソレノイド６１ｓｏに信号を出力し開閉扉６１を作動させる制御、大入賞口補助ソレノイド６２ｓｏに信号を出力し回動部材を作動させる制御、内部抽選における特別図柄の当選確率を変更する制御等、遊技の進行に係る制御を実行する。メインＣＰＵ１００ａは、各制御の結果や、各検出スイッチから入力された検出信号をコマンド（主制御コマンド）に変換し、払出・発射制御部３００や副制御部２００に送信する。なお、特別図柄の当選確率を変更する制御とは、大当たり遊技の終了後の遊技状態を、内部抽選における特別図柄の当選確率を、通常の確率とする通常状態と、通常の確率よりも上昇する確変状態と、のいずれかに決定する遊技状態決定制御のことを指している。
【００３９】
払出・発射制御部３００は、遊技球を発射させるための制御及び賞球を払い出すための制御を行う。払出・発射制御部３００も、主制御部１００と略同様に、図示を省略したＣＰＵ、ＲＯＭ、ＲＡＭを備えており、主制御部１００に対して双方向に通信可能に接続されている。払出・発射制御部３００には、遊技情報出力端子板３１１が接続されており、主制御部１００から出力される遊技進行上の種々の情報が、払出・発射制御部３００及び遊技情報出力端子板３１１を介して、外部カウンタや遊技店のホールコンピュータ等に出力されることとなる。
【００４０】
また、払出・発射制御部３００には、貯留部に貯留された遊技球を賞球として遊技者に払い出すための払出モータ３１２が接続されている。払出・発射制御部３００は、主制御部１００から送信された払出個数指定コマンドに基づいて払出モータ３１２を制御して所定の賞球を遊技者に払い出すように制御する。このとき、パチンコ機１では、払い出された遊技球数が払出球計数スイッチ３１３ｓによって検出され、払い出すべき賞球が遊技者に払い出されたかが把握されるように構成されている。
【００４１】
また、払出・発射制御部３００には、下皿２４の満タン状態を検出する皿満タン検出スイッチ３１４ｓが接続されている。皿満タン検出スイッチ３１４ｓは、遊技球を上皿２２から下皿２４に導く通路に設けられており、皿満タン検出スイッチ３１４ｓにおける遊技球の有無を遊技球検出信号として払出・発射制御部３００に出力するように構成されている。即ち、払出・発射制御部３００は、遊技球検出信号が所定時間連続して入力された場合に、下皿２４が満タン状態であると判断し、遊技球検出信号の連続入力が途絶えた場合には、満タン状態が解除されたと判断する。なお、下皿２４が満タン状態であると判断される場合、例えば副制御部２００が演出表示装置４００や楽曲出力装置４３０等を用いて遊技者に下皿２４が満タン状態であることを報知する。
【００４２】
また、払出・発射制御部３００には、遊技球の発射制御を行う払出・発射制御回路３０１が設けられている。払出・発射制御部３００には、操作ハンドル１２に設けられ、当該操作ハンドル１２に遊技者が触れたことを検出するタッチセンサ１２ｓと、発射操作レバー１２ａの操作角度を検出する操作ボリューム１２ｖと、が接続されている。そして、タッチセンサ１２ｓ及び操作ボリューム１２ｖから信号が入力されると、払出・発射制御回路３０１において、遊技球発射装置に設けられた発射用ソレノイド１２ｓｏを通電して遊技球を発射させる制御が実行される。
【００４３】
副制御基板で構成される副制御部２００は、主に遊技中や待機中等の各演出を制御し、サブＣＰＵ２００ａと、サブＲＯＭ２００ｂと、サブＲＡＭ２００ｃと、を備えている。なお、パチンコ機１においては、主制御部１００に対して、不正防止の観点により、当該主制御部１００から副制御部２００への一方向にのみ通信可能に接続されている。
【００４４】
サブＣＰＵ２００ａは、主制御部１００から送信されたコマンド等に基づいて、サブＲＯＭ２００ｂに格納されたプログラムを読み出して演算処理を行うとともに、演出表示装置４００に画像を表示させる制御である画像表示制御や、演出役物装置４１０を駆動させたり発光させたりする演出役物制御、演出照明装置４２０を点灯させる点灯制御、楽曲出力装置４３０から楽曲を出力させる楽曲出力制御等の演出に係る制御を実行する。サブＲＡＭ２００ｃは、サブＣＰＵ２００ａの演算処理時におけるデータのワークエリアとして機能する。
【００４５】
また、副制御部２００には、演出操作装置４５０の演出押下ボタン４５１への遊技者の押下操作を検出する押下操作検出スイッチ４５１ｓと演出回動レバー４５２への遊技者の回動操作を検出する回動操作検出スイッチ４５２ｓとが接続されている。押下操作検出スイッチ４５１ｓは、遊技者による演出押下ボタン４５１の押下操作を検出すると、演出押下操作検出信号を副制御部２００に出力し、また、回動操作検出スイッチ４５２ｓは、遊技者による演出回動レバー４５２の回動操作を検出すると、演出回動操作検出信号を副制御部２００に出力する。そして、副制御部２００は、これら演出押下操作検出信号や演出回動操作検出信号等の副制御部２００に入力される信号や、遊技の進行等に基づき、演出表示装置４００、演出役物装置４１０、演出照明装置４２０、楽曲出力装置４３０等を用いた演出を実行する。
【００４６】
なお、パチンコ機１には、例えば１００Ｖの電圧からなる商用電源の電力を入力し、電源として機能する不図示の電源ユニットが備えられており、電源ユニットは、商用電源の１００Ｖの電圧を、例えば２４Ｖ（或いは１２Ｖでもよい）の電圧に降圧して各部に供給する第１降圧回路と、例えば５Ｖの電圧に降圧して各部に供給する第２降圧回路とを有している。なお、島設備に供給されている例えば２４Ｖの電圧からなる電力をそのまま入力するものでもよく、その場合は第１降圧回路は不要である。
【００４７】
第１降圧回路からの例えば２４Ｖの電圧の電力は、主制御部１００、副制御部２００、普通電動役物ソレノイド５２ｓｏ、大入賞口ソレノイド６１ｓｏ、大入賞口補助ソレノイド６２ｓｏ、第１特別図柄表示器７１、第２特別図柄表示器７２、第１特別図柄保留表示器７３、第２特別図柄保留表示器７４、普通図柄表示器７５、普通図柄保留表示器７６、右打ち報知表示器７７、払出モータ３１２、発射用ソレノイド１２ｓｏ、演出表示装置４００、演出役物装置４１０、演出照明装置４２０、楽曲出力装置４３０等に送電され、それらの駆動電力や発光電力として用いられる。
【００４８】
また、第２降圧回路からの例えば５Ｖの電圧の電力は、第１一般入賞口検出スイッチ５８ｓ、第２一般入賞口検出スイッチ５９ｓ、第１始動口検出スイッチ５１ｓ、第２始動口検出スイッチ５２ｓ、ゲート検出スイッチ５３ｓ、大入賞口検出スイッチ６５ｓ、大入賞口排出検出スイッチ６８ｓ、払出球計数スイッチ３１３ｓ、皿満タン検出スイッチ３１４ｓ、タッチセンサ１２ｓ、操作ボリューム１２ｖ、押下操作検出スイッチ４５１ｓ、回動操作検出スイッチ４５２ｓ等に送電され、それらのセンサやスイッチの駆動電力として用いられる。
【００４９】
また、主制御部１００においては、第１降圧回路からの例えば２４Ｖの電圧の電力をさらに例えば５Ｖの電圧の電力に降圧し、この例えば５Ｖの電圧の電力は、メインＣＰＵ１００ａ、メインＲＯＭ１００ｂ、メインＲＡＭ１００ｃ、払出・発射制御回路３０１の駆動電力として用いられる。
【００５０】
そして、副制御部２００においても、第１降圧回路からの例えば２４Ｖの電圧の電力をさらに例えば３．３Ｖ（或いは１．２Ｖでもよい）の電圧の電力に降圧し、この例えば３．３Ｖの電圧の電力は、サブＣＰＵ２００ａ、サブＲＯＭ２００ｂ、サブＲＡＭ２００ｃの駆動電力として用いられる。
【００５１】
２．演出役物装置の詳細
次に、図４〜図９を参照して、本実施形態のパチンコ機１が備える演出役物装置４１０の詳細について説明する。
【００５２】
＜演出役物装置の位置＞
図４は、本実施形態のパチンコ機１において演出役物装置４１０を有する遊技盤３０の概略斜視図である。図４に示すように、本実施形態の演出役物装置４１０は、遊技盤３０において、遊技板３１と、演出表示装置４００の画像表示部４００ａと、の間に位置している。
【００５３】
上述した通り、本実施形態のパチンコ機１において、遊技板３１は、中枠４の前面に設けられており、画像表示部４００ａは、中枠４の背面側に設けられている。一般に、遊技盤３０は、遊技盤面３１ａに設けられた釘の先端から画像表示部４００ａの背面を覆う不図示のカバー部材までのその奥行きについて、遊技場に設置可能な程度の長さしか有することができない。このため、パチンコ機１においては、遊技板３１と画像表示部４００ａとの間の距離Ｗについて、限られた長さしか有することができない構成となっている。
【００５４】
本実施形態のパチンコ機１は、距離Ｗの範囲内において、演出役物装置４１０として、それぞれ可動及び発光自在である第１可動体５１０及び第２可動体５２０と、第１可動体５１０及び第２可動体５２０を連結する連結部材５３０と、第１可動体５１０、第２可動体５２０及び連結部材５３０を支持する支持部材５４０と、を有している。
【００５５】
図４に示す状態において、第１可動体５１０は、可動する演出が実行されていない状態である初期状態における位置としての第１待機位置に位置し、第２可動体５２０は、可動する演出が実行されていない状態である初期状態における位置としての第２待機位置に位置している。本実施形態のパチンコ機１においては、第１可動体５１０が第１待機位置に位置し、第２可動体５２０が第２待機位置に位置する場合、第１可動体５１０を正面視した際に第１可動体５１０と第２可動体５２０とが重なるように演出役物装置４１０が遊技盤３０に配設されている。
【００５６】
＜演出役物装置の構成＞
図５は、本実施形態の演出役物装置４１０の正面図である。図５に示すように、本実施形態の第１可動体５１０は、正面視した場合における表面側に演出に係る第１意匠が形成され、第１可動体５１０の内部で発光した光によって発光可能に形成された第１意匠部材５１１を有している。また、第１可動体５１０は、支持部材５４０の下方に設けられた第１軸５１２によって支持部材５４０に軸支され、支持部材５４０の図中下方に支持される駆動源としてのモータ５５０の動力により、第１軸５１２を中心に図中右方に回動可能に構成されている。
【００５７】
第２可動体５２０は、正面視した場合における表面側に演出に係る第２意匠が形成され、第２可動体５２０の内部で発光した光によって発光可能に形成された第２意匠部材５２１を有している。また、第２可動体５２０は、支持部材５４０の上方に設けられ第１軸５１２とは異なる第２軸５２２によって支持部材５４０に軸支され、第２軸５２２を中心に図中右方に回動可能に構成されている。
【００５８】
図５に示すように、本実施形態の演出役物装置４１０においては、第１待機位置に位置する第１可動体５１０と第２待機位置に位置する第２可動体５２０とを正面視した際に重なる重複部４１０ａに対して一方側に第１軸５１２が配設され、重複部４１０ａに対して他方側に第２軸５２２が配設されることで、第１可動体５１０と第２可動体５２０とを異なる軌道で回動させ、第１可動体５１０の可動範囲と第２可動体５２０の可動範囲とが異なる演出を実行することができる。
【００５９】
図６は、本実施形態の演出役物装置４１０の概略断面図である。図６に示すように、第１発光手段としての第１可動体５１０は、第１軸５１２と係合する第１支持部材５１３と、第１意匠部材５１１と、によって形成される空間内において、第１設置部材としての第１ＬＥＤ基板５１４と、第１光源としての第１ＬＥＤ５１５と、第１導光板５１６と、を有している。
【００６０】
第１支持部材５１３は、第１可動体５１０の有する第１意匠部材５１１と、第１ＬＥＤ基板５１４と、第１ＬＥＤ５１５と、第１導光板５１６と、を、その前面において支持する略板状の部材である。第１可動体５１０が回動した場合、第１支持部材５１３は、第１可動体５１０を正面視した場合における裏面側の面が画像表示部４００ａ（図２参照）と対向するように構成されている。第１支持部材５１３の裏面は、画像表示部４００ａに表示される映像に伴い照射される光が第１支持部材５１３の裏面で反射し画像表示部４００ａに表示される映像に干渉してしまうことを防ぐために、吸光色である黒色によって形成されている。
【００６１】
第１ＬＥＤ基板５１４は、それぞれ第１支持部材５１３から図中上方に突出した複数の突出部５１３ａ上に取り付けられ、図中左方側の端部において第１意匠部材５１１と当接している。また、第１ＬＥＤ基板５１４は、第１可動体５１０を正面視した場合における表面が反射色としての白色によって形成されている。
【００６２】
第１ＬＥＤ基板５１４には、複数の第１ＬＥＤ５１５と、第１導光板５１６と、が同一平面上に設置されている。第１ＬＥＤ５１５は、第１ＬＥＤ基板５１４に設置された状態において、側面が発光するいわゆるサイドビューＬＥＤであり、第１ＬＥＤ基板５１４上に設置された第１導光板５１６の側面から光を入光させることで、第１導光板５１６内を通過する光の光路長を確保し、第１導光板５１６を発光させている。
【００６３】
第１導光板５１６は、第１ＬＥＤ基板５１４上に配設され、第１ＬＥＤ５１５から照射される光が側面から入光されることで発光するように構成されており、第１ＬＥＤ基板５１４と対向する面に多数の凹凸形状を有し、第１意匠部材５１１と対向する面が略平滑に形成されている。上述した通り、第１導光板５１６の凹凸形状を有する面と対向する第１ＬＥＤ基板５１４の面は、反射色である白色に形成されている。これにより、第１可動体５１０は、第１ＬＥＤ５１５から第１導光板５１６に入光した光が第１意匠部材５１１側の面から抜けていき、第１意匠部材５１１の意匠を発光させることができるように形成されている。
【００６４】
本実施形態の第１可動体５１０は、第１意匠部材５１１と、第１導光板５１６と、第１ＬＥＤ基板５１４と、第１支持部材５１３と、によって積層構造が形成されている。また、第１可動体５１０では、第１ＬＥＤ５１５が第１ＬＥＤ基板５１４に設置された状態において、その上面ではなく側面が発光することで、第１導光板５１６によって第１ＬＥＤ５１５の上面を覆うことなく第１導光板５１６に第１ＬＥＤ５１５から発せられる光を入光させることができる構成となっている。
【００６５】
このため、本実施形態の第１可動体５１０は、第１導光板５１６によって第１ＬＥＤ５１５の上面を覆う構成と比較して積層方向の長さｈ１を抑制し、複数の部材によって積層方向において積層構造を有し発光する演出役物でありながら省スペース化を実現することができる。
【００６６】
第２発光手段としての第２可動体５２０は、第２軸５２２と係合する第２支持部材５２３と、第２意匠部材５２１と、によって形成される空間内において、第２設置部材としての第２ＬＥＤ基板５２４と、第２光源としての第２ＬＥＤ５２５と、第２導光板５２６と、を有している。
【００６７】
第２支持部材５２３は、第２可動体５２０の有する第２意匠部材５２１と、第２ＬＥＤ基板５２４と、第２ＬＥＤ５２５と、第２導光板５２６と、を、その前面において支持する略板状の部材である。第２可動体５２０が回動した場合、第２支持部材５２３は、第２可動体５２０を正面視した場合における裏面側の面が画像表示部４００ａ（図２参照）と対向するように構成されている。第２支持部材５２３の裏面は、画像表示部４００ａに表示される映像に伴い照射される光が第２支持部材５２３の裏面で反射し画像表示部４００ａに表示される映像に干渉してしまうことを防ぐために、吸光色である黒色によって形成されている。
【００６８】
第２ＬＥＤ基板５２４は、それぞれ第２支持部材５２３から図中上方に突出した複数の突出部５２３ａ上に取り付けられている。また、第２ＬＥＤ基板５２４は、第２可動体５２０を正面視した場合における表面が反射色としての白色によって形成されている。
【００６９】
第２ＬＥＤ基板５２４には、複数の第２ＬＥＤ５２５と、第２導光板５２６と、が同一平面上に設置されている。第２ＬＥＤ５２５は、第２ＬＥＤ基板５２４に設置された状態において、側面が発光するいわゆるサイドビューＬＥＤであり、第２ＬＥＤ基板５２４上に設置された第２導光板５２６の側面から光を入光させることで、第２導光板５２６内を通過する光の光路長を確保し、第２導光板５２６を発光させている。
【００７０】
第２導光板５２６は、第２ＬＥＤ基板５２４上に配設され、第２ＬＥＤ５２５から照射される光が側面から入光されることで発光するように構成されており、第２ＬＥＤ基板５２４と対向する面に多数の凹凸形状を有し、第２意匠部材５２１と対向する面が略平滑に形成されている。上述した通り、第２導光板５２６の凹凸形状を有する面と対向する第２ＬＥＤ基板５２４の面は、反射色である白色に形成されている。これにより、第２可動体５２０は、第２ＬＥＤ５２５から第２導光板５２６に入光した光が第２意匠部材５２１側の面から抜けていき、第２意匠部材５２１の意匠を発光させることができるように形成されている。
【００７１】
本実施形態の第２可動体５２０は、第２意匠部材５２１と、第２導光板５２６と、第２ＬＥＤ基板５２４と、第２支持部材５２３と、によって積層構造が形成されている。また、第２可動体５２０では、第２ＬＥＤ５２５が第２ＬＥＤ基板５２４に設置された状態において、その上面ではなく側面が発光することで、第２導光板５２６によって第２ＬＥＤ５２５の上面を覆うことなく第２導光板５２６に第２ＬＥＤ５２５から発せられる光を入光させることができる構成となっている。
【００７２】
このため、本実施形態の第２可動体５２０は、第２導光板５２６によって第２ＬＥＤ５２５の上面を覆う構成と比較して積層方向の長さｈ２を抑制し、複数の部材によって積層方向において積層構造を有し発光する演出役物でありながら省スペース化を実現することができる。
【００７３】
なお、第２可動体５２０は、第２支持部材５２３の裏面側に設けられ、第２支持部材５２３の裏面から支持部材５４０に向けて突出した軸状の第４連結軸５２８が、支持部材５４０に設けられた第４連結溝５４２と連結されており、第２可動体５２０が可動する際の姿勢が維持されるように構成されている。第４連結軸５２８には、第４連結溝５４２に挿入された後に第４連結溝５４２から抜けることを防止するための抜け止めブッシュが取り付けられている。支持部材５４０の第４連結溝５４２の詳細については、後述する。
【００７４】
本実施形態において、演出役物装置４１０は、第１可動体５１０の第１支持部材５１３の裏面側に設けられ、第１支持部材５１３の裏面から連結部材５３０に向けて突出した軸状の第１連結軸５１７が、連結部材５３０に設けられた第１連結溝５３１と連結し、第２可動体５２０の第２支持部材５２３の裏面側に設けられ、第２支持部材５２３の裏面から連結部材５３０に向けて突出した軸状の第２連結軸５２７が、連結部材５３０に設けられた第２連結溝５３２と連結することで、第１可動体５１０と第２可動体５２０とが連結部材５３０によって連結されている。
【００７５】
第１連結軸５１７には、第１連結溝５３１に挿入された後に第１連結溝５３１から抜けることを防止するための抜け止めブッシュが取り付けられている。また、第２連結軸５２７には、第２連結溝５３２に挿入された後に第２連結溝５３２から抜けることを防止するための抜け止めブッシュが取り付けられている。
【００７６】
そして、連結部材５３０は、連結部材５３０の裏面側に設けられ、連結部材５３０の裏面から支持部材５４０に向けて突出した軸状の第３連結軸５３３が支持部材５４０に設けられた第３連結溝５４１と連結されている。第３連結軸５３３には、第３連結溝５４１に挿入された後に第３連結溝５４１から抜けることを防止するための抜け止めブッシュが取り付けられている。
【００７７】
また、連結部材５３０は、図６中における第１可動体５１０の第１軸５１２側の端部近傍に位置する第３軸５３４によって支持部材５４０に軸支されている。連結部材５３０は、モータ５５０（図５参照）からの動力が第１可動体５１０から伝達された場合に、第３軸５３４を中心に回動するように構成されている。なお、第１連結溝５３１、第２連結溝５３２の形状については後述する。
【００７８】
図６に示すように、本実施形態の演出役物装置４１０は、正面視した際において、第１可動体５１０、第２可動体５２０、連結部材５３０の順、つまり、連結部材５３０が第１可動体５１０に対して奥側に位置し、第２可動体５２０が第１可動体５１０に対して奥側で、かつ連結部材５３０に対して手前側に位置する積層構造となるように支持部材５４０に取り付けられている。このような構造にすることで、演出役物装置４１０は、連結部材５３０を第１可動体５１０と第２可動体５２０との間に設ける構造と比べ、高さ方向の長さｈ３を抑制し、複数の部材によって高さ方向において積層構造を有し発光する演出役物でありながら省スペース化を実現することができる。
【００７９】
また、このような構造であることで、本実施形態の演出役物装置４１０は、第２可動体５２０の第２意匠部材５２１の意匠が形成された面が、第１可動体５１０の第１支持部材５１３の裏面と当接し得る構造となっている。このため、本実施形態の第２可動体５２０は、第２意匠部材５２１のうち第１可動体５１０を正面視した場合において重なっている端部近傍において、第１可動体５１０に向けて略円弧状に突出する突出部５２１ａを有しており、突出部５２１ａの頂点付近が第１可動体５１０と当接することで、第２意匠部材５２１の表面が広く第１可動体５１０と当接し、第２意匠部材５２１の表面が摩耗してしまうことを防ぐことができる。
【００８０】
＜演出役物装置の動作＞
次に、図７〜図９を参照して、本実施形態における演出役物装置４１０の動作について説明する。
【００８１】
図７（Ａ）は、第１可動体５１０が第１待機位置に位置し、第２可動体５２０が第２待機位置に位置する場合における演出役物装置４１０の正面図、図７（Ｂ）は、図７（Ａ）に示す状態における演出役物装置４１０の背面図である。なお、図７（Ｂ）においては、連結部材５３０の詳細を説明するために、支持部材５４０の図示を省略している。
【００８２】
本実施形態のパチンコ機１は、演出役物装置４１０を可動させる演出である役物可動演出として、第１可動体５１０を第１軸５１２を中心に回動させ、正面視した場合に画像表示部４００ａ（図４参照）と重なる位置である第１可動位置（可動位置）まで可動させる演出である第１役物可動演出と、第２可動体５２０を第２軸５２２を中心に回動させ、正面視した場合に画像表示部４００ａと重なる位置である第２可動位置まで可動させる演出である第２役物可動演出と、を実行可能に構成されている。
【００８３】
第１役物可動演出は、第１可動体５１０を第１待機位置から可動させる演出であり、第１待機位置と、第１待機位置から第１可動位置までの範囲内の所定の位置である中間位置と、の範囲内で第１可動体５１０を自在に可動させる演出と、中間位置を越えて第１可動位置まで可動させる演出と、が含まれる。第２役物可動演出は、第２可動体５２０を第２待機位置から第２可動位置まで可動させる演出である。本実施形態のパチンコ機１は、画像表示部４００ａに表示される演出図柄４１０Ｌ，４１０Ｃ，４１０Ｒ（図２参照）と第１役物可動演出や第２役物可動演出を連携させた演出を実行することで、演出に対する遊技者の興趣を向上させている。図７（Ａ）は、第１役物可動演出及び第２役物可動演出が実行されていない初期状態である場合における第１可動体５１０と第２可動体５２０との正面図となっている。
【００８４】
図７（Ｂ）に示すように、連結部材５３０の第１連結溝５３１は、略Ｌ字状の形状を有している。第１可動体５１０が第１待機位置に位置する場合、演出役物装置４１０では、第１連結溝５３１の一方側の端部５３１ａ近傍に第１可動体５１０の第１連結軸５１７が位置している。
【００８５】
また、連結部材５３０の第２連結溝５３２は、第２軸５１２を中心とする略円弧状の形状を有している。第２可動体５２０が第２待機位置に位置する場合、演出役物装置４１０では、第２連結溝５３２の一方側の端部５３２ａ近傍に第２可動体５２０の第２連結軸５２７が位置している。
【００８６】
図８（Ａ）は、第１可動体５１０が第１待機位置から所定の位置である中間位置まで可動し、かつ第２可動体５２０が第２待機位置に位置する場合における演出役物装置４１０の正面図、図８（Ｂ）は、図８（Ａ）に示す状態における演出役物装置４１０の背面図である。なお、図８（Ｂ）においては、連結部材５３０の詳細を説明するために、支持部材５４０の図示を省略している。
【００８７】
本実施形態のパチンコ機１は、モータ５５０の動力によって役物可動演出を実行する場合に、第２可動体５２０を第２待機位置から動かすことなく第１可動体５１０を第１軸５１２を中心に図８（Ａ）に示す中間位置まで回動することができるように構成されている。つまり、本実施形態のパチンコ機１は、役物可動演出として、第２役物可動演出を実行することなく第１役物可動演出のみを実行可能に構成されており、第１可動体５１０を第１待機位置と中間位置との間で可動可能に構成されている。
【００８８】
図８（Ｂ）に示すように、第１可動体５１０が第１待機位置から中間位置まで可動した場合、演出役物装置４１０では、第１可動体５１０の第１連結軸５１７が端部５３１ａから略Ｌ字形状の曲部５３１ｂまで移動する。本実施形態において、連結部材５３０の第１連結溝５３１には、第１可動体５１０の第１軸５１２を中心とした略円弧状に形成されることで、第１連結軸５１７と係合することなく第１連結軸５１７を可動可能にする非伝達形状としての第１非伝達溝５３１ｃが形成されている。第１連結軸５１７が端部５３１ａから曲部５３１ｂに移動するまでの間、演出役物装置４１０では、第１軸５１２を中心とした略円弧状の第１非伝達溝５３１ｃ内を第１連結軸５１７が通過することで、第１連結軸５１７と第１連結溝５３１とが係合しない状態である非係合状態となり、モータ５５０の動力によって第１可動体５１０が可動した際に、モータ５５０の動力が第１可動体５１０から連結部材５３０及び第２可動体５２０に伝達されず、連結部材５３０及び第２可動体５２０の位置が初期状態における位置（図７（Ｂ）参照）に維持される。
【００８９】
図９（Ａ）は、第１可動体５１０が中間位置からさらに回動し、第１役物可動演出において可動可能な範囲の上限となる位置である第１可動位置まで可動し、かつ第２可動体５２０が第２待機位置から第２役物可動演出において可動可能な範囲の上限となる位置である第２可動位置まで可動した場合における演出役物装置４１０の正面図、図９（Ｂ）は、図９（Ａ）に示す状態における演出役物装置４１０の背面図である。
【００９０】
図９（Ａ）、（Ｂ）に示すように、連結部材５３０の第３連結軸５３３と連結する支持部材５４０の第３連結溝５４１は、第１役物可動演出によって第１可動体５１０が可動する際に追従する連結部材５３０が第３軸５３４を中心に回動することから、第３軸５３４を中心とした略円弧状となっている。
【００９１】
これにより、演出役物装置４１０では、第１可動体５１０が可動する際に第１可動体５１０と連結し追従する連結部材５３０の姿勢が、第３連結溝５４１の側面に連結部材５３０の第３連結軸５３３が当接することで維持され、役物可動演出の実行時における第１可動体５１０の姿勢の安定性を向上させることができるとともに、第３連結軸５３３が第３連結溝５４１に係合されることがなく、第３連結溝５４１内を第３連結軸５３３が自在に可動することができる。
【００９２】
また、図９（Ａ）、（Ｂ）に示すように、第２可動体５２０の第４連結軸５２８と連結する支持部材５４０の第４連結溝５４２は、第２役物可動演出によって第２可動体５２０が可動する際に第２可動体５２０が第２軸５１２を中心に回動することから、第２軸５１２を中心とした略円弧状となっている。
【００９３】
これにより、演出役物装置４１０では、第２可動体５２０が可動する際における第２可動体５２０の姿勢が、第４連結溝５４２の側面に第２可動体５２０の第４連結軸５２８が当接することで維持され、役物可動演出の実行時における第２可動体５２０の姿勢の安定性を向上させることができるとともに、第４連結軸５２８が第４連結溝５４２に係合されることがなく、第４連結溝５４２内を第４連結軸５２８が自在に可動することができる。
【００９４】
図９（Ｂ）に示すように、第１可動体５１０が中間位置から第１可動位置まで可動した場合、演出役物装置４１０では、第１可動体５１０の第１連結軸５１７が曲部５３１ｂから端部５３１ｄに移動する。第１連結軸５１７が曲部５３１ｂから端部５３１ｄに移動するまでの間、演出役物装置４１０では、第１連結軸５１７と第１連結溝５３１とが係合し、第１連結軸５１７の側面が第１連結溝５３１の係合面５３１ｅに押し当てられることで、第１可動体５１０を可動させるモータ５５０の動力が第１可動体５１０から連結部材５３０に伝達される。これにより、演出役物装置４１０では、第１可動体５１０の動きに追従して連結部材５３０も可動する。
【００９５】
連結部材５３０に第１可動体５１０から動力が伝達されることで、演出役物装置４１０では、第１可動体５１０を可動させるモータ５５０の動力が第１可動体５１０から連結部材５３０を介して連結部材５３０と係合する第２可動体５２０に伝達される。第２可動体５２０は、連結部材５３０の第２連結溝５３２と係合する第２可動体５２０の第２連結軸５２７において、第２連結溝５３２の係合面５３２ｃに第２連結軸５２７の側面が押し当てられることで画像表示部４００ａ（図２参照）と一部が重なる位置である第２可動位置に向けて回動する。
【００９６】
第２連結軸５２７が第２連結溝５３２の端部５３２ｂに到達した場合、演出役物装置４１０では、第２可動体５２０の第４連結軸５２８が支持部材５４０の第４連結溝５４２の端部５４２ａに当接し、連結部材５３０の第３連結軸５３３が支持部材５４０の第３連結溝５４１の端部５４１ａに当接することで、第２可動体５２０と、連結部材５３０と、の動きが規制され、第２可動体５２０が第２可動位置を越えて回動することが防がれる。これにより、演出役物装置４１０は、連結部材５３０に連結する第１可動体５１０の動きも規制されることで、第１可動体５１０が第１可動位置を越えて回動することが防がれる。
【００９７】
なお、第１可動体５１０が第１可動位置から中間位置まで可動する場合、演出役物装置４１０では、第１可動体５１０の第１連結軸５１７が端部５３１ｄから曲部５３１ｂに移動するまでの間、第１連結軸５１７と第１連結溝５３１とが係合し、第１連結軸５１７の側面が第１連結溝５３１の係合面５３１ｅと対向する係合面５３１ｆに押し当てられることで、第１可動体５１０を可動させるモータ５５０の動力が第１可動体５１０から連結部材５３０に伝達される。これにより、演出役物装置４１０では、第１可動体５１０の動きに追従して連結部材５３０も可動する。
【００９８】
連結部材５３０に第１可動体５１０から動力が伝達されることで、演出役物装置４１０では、第１可動体５１０を可動させるモータ５５０の動力が第１可動体５１０から連結部材５３０を介して連結部材５３０と係合する第２可動体５２０に伝達される。第２可動体５２０は、連結部材５３０の第２連結溝５３２と係合する第２可動体５２０の第２連結軸５２７において、第２連結溝５３２の係合面５３２ｃと対向する係合面５３２ｄに第２連結軸５２７の側面が押し当てられることで、第２可動位置から第２待機位置に向けて回動する。
【００９９】
このように、第１可動体５１０と連結部材５３０とを連結する第１連結軸５１７及び第１連結溝５３１が、本実施形態における第１連結部を構成し、第２可動体５２０と連結部材５３０とを連結する第２連結軸５２７及び第２連結溝５３２が、本実施形態における第２連結部を構成する。また、係合面５３１ｅ，５３１ｆが、本実施形態における伝達形状を構成する。
【０１００】
３．本実施形態のまとめ
以上のように、本実施形態の遊技機（１）は、
演出を実行する演出役物（４１０）を備える遊技機（１）において、
前記演出役物（４１０）は、
第１光源（５１５）と前記第１光源（５１５）からの光が入光される第１導光板（５１６）とを有する第１発光手段（５１０）と、
第２光源（５２５）と前記第２光源（５２５）からの光が入光される第２導光板（５２６）とを有する第２発光手段（５２０）と、を含み、
前記第１発光手段（５１０）は、
可動する演出である役物可動演出において、待機位置から可動位置までの範囲内で可動し、
前記役物可動演出が実行されず前記待機位置に位置する状態において、前記第１発光手段（５１０）を正面視した際に前記第２発光手段（５２０）と重なる。
【０１０１】
このため、本実施形態のパチンコ機１は、役物可動演出を実行することで第１可動体５１０が可動し、発光する第１可動体５１０と第２可動体５２０とによって演出に対する遊技者の興趣を向上させることができるとともに、役物可動演出を実行していない状態において、第１可動体５１０と第２可動体５２０とを重ねて収納することができ、演出役物装置４１０を小型化しつつ演出役物を用いて遊技者の演出に対する興趣を向上させることができる。
【０１０２】
また、本実施形態の遊技機（１）は、
遊技に関する画像を表示する画像表示装置（４００ａ）を備え、
前記第１発光手段（５１０）は、前記可動位置まで移動した状態で正面視した際に少なくとも一部が前記画像表示装置（４００ａ）と重なっている。
【０１０３】
このため、本実施形態のパチンコ機１は、画像表示部４００ａ内において２次元の画像によって実行される演出を見る遊技者の視界に第１可動体５１０を含ませ、画像及び演出役物装置４１０を連携させた演出を実行することができ、演出役物を用いて遊技者の演出に対する興趣を向上させることができる。
【０１０４】
また、本実施形態の遊技機（１）において、
遊技球が流下する遊技領域（４０）が形成され、前記第１発光手段（５１０）を正面視する方向において前記画像表示装置（４００ａ）よりも手前に位置する遊技板（３１）を備え、
前記第１発光手段（５１０）の前記待機位置は、前記第１発光手段（５１０）を正面視する方向において、前記遊技板（３１）と前記画像表示装置（４００ａ）との間に位置する。
【０１０５】
このため、本実施形態のパチンコ機１は、限られたスペースである遊技板３１と画像表示部４００ａとの間に第１可動体５１０と第２可動体５２０との複数の発光する役物を有しており、それぞれ発光する役物の積層方向における小型化を達成しつつ、演出役物を用いて遊技者の演出に対する興趣を向上させることができる。
【０１０６】
また、本実施形態の遊技機（１）において、
前記待機位置は、第１待機位置であり、
前記可動位置は、第１可動位置であり、
前記役物可動演出は、第１役物可動演出であり、
前記第２発光手段（５２０）は、
可動する演出である第２役物可動演出において、第２待機位置から第２可動位置までの範囲内で可動し、
前記第１役物可動演出及び前記第２役物可動演出が実行されず前記第２待機位置に位置する状態において、前記第１待機位置に位置する前記第１発光手段（５１０）を正面視した際における位置が重なる。
【０１０７】
このため、本実施形態のパチンコ機１は、第１役物可動演出及び第２役物可動演出が実行されるまでは第１可動体５１０と第２可動体５２０とが重なっており、第１役物可動演出が実行され第１可動体５１０が可動する場合と、第２役物可動演出が実行され第２可動体５２０が可動する場合と、に第２可動体５２０を登場させる演出を実行することができ、演出役物を用いて遊技者の演出に対する興趣を向上させることができる。
【０１０８】
また、本実施形態の遊技機（１）は、
前記第１発光手段（５１０）の後方に前記第２発光手段（５２０）が配設され、
前記第１役物可動演出が実行され前記第１待機位置から前記第１発光手段（５１０）が移動することで、前記第１発光手段（５１０）を正面視した際に前記第２発光手段（５２０）を視認可能になる。
【０１０９】
このため、本実施形態のパチンコ機１は、第１役物可動演出及び第２役物可動演出が実行されるまでは第１可動体５１０と第２可動体５２０とが重なっており、第１役物可動演出が実行され第１可動体５１０が可動することで、第１可動体５１０の裏から第２可動体５２０を登場させる演出を実行することができ、演出役物を用いて遊技者の演出に対する興趣を向上させることができる。
【０１１０】
また、本実施形態の遊技機（１）において、
前記第１発光手段（５１０）は、前記第１光源（５１５）と前記第１導光板（５１６）とが表面の同一平面上に設置され、前記第１導光板（５１６）と積層構造を形成する第１設置部材（５１４）を有し、
前記第１光源（５１５）は、前記第１発光手段（５１０）を正面視した際における前記第１導光板（５１６）の側面に入光させる。
【０１１１】
このため、本実施形態のパチンコ機１は、第１導光板５１６と第１ＬＥＤ基板５１４とで積層構造を形成する第１可動体５１０において、第１ＬＥＤ５１５を積層構造に含むことなく第１導光板５１６を発光させることができるため、第１可動体５１０が積層方向において厚くなってしまうことを防ぐことができる。
【０１１２】
また、本実施形態の遊技機（１）において、
前記第１設置部材（５１４）は、反射色によって形成される。
【０１１３】
このため、本実施形態のパチンコ機１は、積層方向において第１導光板５１６に入光した光を反射させるための別の部材を有することなく第１ＬＥＤ基板５１４によって反射させることができるため、第１可動体５１０が積層方向において厚くなってしまうことを防ぐことができる。
【０１１４】
また、本実施形態の遊技機（１）において、
前記第１発光手段（５１０）は、前記第１発光手段（５１０）を正面視した際における表面で前記第１設置部材（５１４）を支持する第１支持部材（５１３）を有し、
前記第１支持部材（５１３）は、前記第１発光手段（５１０）を正面視した際における裏面が吸光色によって形成される。
【０１１５】
このため、本実施形態のパチンコ機１は、役物可動演出によって画像表示部４００ａの前面に第１可動体５１０が位置した場合に、画像表示部４００ａから照射される光が第１支持部材５１３に反射したことによる第１支持部材５１３の画像表示部４００ａへの映り込みを低減することができる。
【０１１６】
また、本実施形態の遊技機（１）において、
前記第２発光手段（５２０）は、前記第２光源（５２５）と前記第２導光板（５２６）とが表面の同一平面上に設置され、前記第２導光板（５２６）と積層構造を形成する第２設置部材（５２４）を有し、
前記第２光源（５２５）は、前記第２発光手段（５２０）を正面視した際における前記第２導光板（５２６）の側面に入光させる。
【０１１７】
このため、本実施形態のパチンコ機１は、第２導光板５２６と第２ＬＥＤ基板５２４とで積層構造を形成する第２可動体５２０において、第２ＬＥＤ５２５を積層構造に含むことなく第２導光板５２６を発光させることができるため、第２可動体５２０が積層方向において厚くなってしまうことを防ぐことができる。
【０１１８】
また、本実施形態の遊技機（１）において、
前記第２設置部材（５２４）は、反射色によって形成される。
【０１１９】
このため、本実施形態のパチンコ機１は、積層方向において第２導光板５２６に入光した光を反射させるための別の部材を有することなく第２ＬＥＤ基板５２４によって反射させることができるため、第２可動体５２０が積層方向において厚くなってしまうことを防ぐことができる。
【０１２０】
また、本実施形態の遊技機（１）において、
前記第２発光手段（５２０）は、前記第２発光手段（５２０）を正面視した際における表面で前記第２設置部材（５２４）を支持する第２支持部材（５２３）を有し、
前記第２支持部材（５２３）は、前記第２発光手段（５２０）を正面視した際における裏面が吸光色によって形成される。
【０１２１】
このため、本実施形態のパチンコ機１は、第２役物可動演出によって画像表示部４００ａの前面に第２可動体５２０が位置した場合に、画像表示部４００ａから照射される光が第２支持部材５２３に反射したことによる第２支持部材５２３の画像表示部４００ａへの映り込みを低減することができる。
【０１２２】
４．変形例
なお、本実施形態において、演出役物装置４１０は、第１可動体５１０と第２可動体５２０とがいずれも可動可能に構成されているが、これに限らず、第１可動体５１０のみが可動可能又は第２可動体５２０のみが可動可能に構成されていてもよい。
【０１２３】
また、本実施形態において、パチンコ機１は、遊技板３１と画像表示部４００ａとの間に演出役物装置４１０を配設しているが、これに限定されない。パチンコ機１は、例えば前枠６に演出役物装置４１０を配設していてもよい。また、パチンコ機１は、演出役物装置４１０が配設される位置について、必ずしも役物可動演出が実行された際に画像表示部４００ａの正面に位置する位置である必要もなく、演出役物装置４１０が配設される位置については、本実施形態に限定されない。
【０１２４】
また、本実施形態において、第１可動体５１０は、サイドビューＬＥＤである第１ＬＥＤ５１５を有し、第１導光板５１６の側面に光を入光させるように構成されているが、これに限らず、第１ＬＥＤ５１５として設置される面に対向する面が発光するトップビューＬＥＤを用い、第１ＬＥＤ５１５を覆う形状の第１導光板５１６を有し、第１ＬＥＤ５１５を覆う面から第１導光板５１６に光が入光されるように構成されていてもよい。
【０１２５】
また、本実施形態において、第２可動体５２０は、サイドビューＬＥＤである第２ＬＥＤ５２５を有し、第２導光板５２６の側面に光を入光させるように構成されているが、これに限らず、第２ＬＥＤ５２５として設置される面に対向する面が発光するトップビューＬＥＤを用い、第２ＬＥＤ５２５を覆う形状の第２導光板５２６を有し、第２ＬＥＤ５２５を覆う面から第２導光板５２６に光が入光されるように構成されていてもよい。
【０１２６】
また、演出役物装置４１０は、第１光源として第１ＬＥＤ５１５を有しているが、これに限らず、例えばハロゲンランプ等、ＬＥＤ以外のいずれの光源であってもよい。また、演出役物装置４１０は、第２光源についても略同様に、ＬＥＤ以外のいずれの光源であってもよい。
【０１２７】
また、本実施形態において、演出役物装置４１０は、第１可動体５１０と第２可動体５２０との２つの可動する役物を有しているが、これに限らず、３つ以上の可動する役物を有するように構成されていてもよい。
【０１２８】
また、本実施形態において、第１可動体５１０は、第１軸５１２を中心に回動するように構成されているが、これに限定されない。第１可動体５１０は、例えば上下、左右のいずれか又は両方に平行移動可能に構成されていてもよく、前後方向に移動可能に構成されていてもよく、上下、左右、前後のすべての方向に移動可能に構成されていてもよい。また、第２可動体５２０についても、第２軸５２２を中心に回動する構成に限らず、上下、左右のいずれか又は両方に平行移動可能に構成されていてもよく、前後方向に移動可能に構成されていてもよく、上下、左右、前後のすべての方向に移動可能に構成されていてもよい。また、演出役物装置４１０は、第１可動体５１０と第２可動体５２０とが可動可能な方向に適した動力を供給する駆動源を有していればよい。つまり、駆動源は、モータ５５０に限らず、ソレノイドやシリンダー等、第１可動体５１０に動力を供給可能なものであればいずれであってもよい。
【０１２９】
また、本実施形態において、演出役物装置４１０は、重複部４１０ａに対して一方側に第１軸５１２が配設され、他方側に第２軸５２２が配設されているが、これに限らず、重複部４１０ａの一方側に第１軸５１２及び第２軸５２２が配設されていてもよく、第１軸５１２と第２軸５２２とが同軸上に配設されていてもよい。
【０１３０】
また、本実施形態においては、遊技機として、大当たり図柄を含む複数種類の図柄の中からいずれかを決定する図柄決定手段と、図柄が決定されてから所定の変動時間が経過すると、図柄表示部に図柄を表示させる図柄表示手段と、図柄表示部に大当たり図柄が表示されると、複数回のラウンド遊技で構成される大当たり遊技を実行する大当たり遊技実行手段と、大当たり遊技におけるラウンド遊技のうち予め設定された特定ラウンド遊技中に、大入賞口に入球した遊技球が特定領域に進入すると、所定の遊技利益を付与する遊技利益付与手段と、大当たり遊技中の演出を実行する演出実行手段と、を備えるいわゆる第一種遊技を可能なパチンコ機１を例示したが、これに限らず、例えば、小当たり遊技中に所定の領域に遊技球が侵入することで小当たり遊技を開始可能な第二種遊技を可能なパチンコ機であっても本発明は適用し得る。また、例えば、外周面に複数種類の図柄が配列されている複数のリールと、遊技者による開始操作を検出するスタートスイッチと、複数のリールに対応して設けられ、各リールを停止させるための停止操作を検出するストップスイッチと、遊技の進行を制御する主制御部と、コマンドに基づき演出を制御する演出制御手段を有する副制御部を備え、主制御部が、複数種類の役の当否を決定する内部抽選を行う内部抽選手段と、スタートスイッチによる開始操作の検出に基づいて、複数のリールを回転させ、ストップスイッチによる停止操作の検出及び内部抽選手段により決定された内部抽選の結果に基づいて、回転中のリールを停止させるリール停止制御を行うリール制御手段と、複数のリールが停止した状態で、役ごとに予め定められた入賞形態を示す図柄組合せが有効ライン上に表示されたことに基づいて、役が入賞したと判定する入賞判定手段と、有するスロットマシンにも、本発明は適用できる。また、スロットマシンに本発明を適用する場合においては、例えば液晶モニターから構成される遊技に関する画像を表示する画像表示装置の周囲に、本発明の演出役物を配置することができる。
【符号の説明】
【０１３１】
１        パチンコ機（遊技機）
４００ａ  画像表示部（画像表示装置）
４１０    演出役物装置（演出役物）
５１０    第１可動体（第１発光手段）
５１５    第１ＬＥＤ（第１光源）
５１６    第１導光板
５２０    第２可動体（第２発光手段）
５２５    第２ＬＥＤ（第２光源）
５２６    第２導光板
【図１】
2020000704.tif 000003
【図２】
2020000704.tif 000004
【図３】
2020000704.tif 000005
【図４】
2020000704.tif 000006
【図５】
2020000704.tif 000007
【図６】
2020000704.tif 000008
【図７】
2020000704.tif 000009
【図８】
2020000704.tif 000010
【図９】
2020000704.tif 000011